(57)【特許請求の範囲】
【請求項１】
内部に通水路を有する通水体と、該通水体を被覆するカバーとを備え、浴室の壁面等の取付部に突設される吐水具であって、
前記カバーを、前記通水体自体又は前記通水体に固設された部材に対して固定し、
前記通水体自体又は前記通水体に固設された部材に、取付部側に向かって内方に傾斜する傾斜部を設け、前記カバーに、前記傾斜部に当接する止めネジを螺着したことを特徴とする吐水具。
【請求項２】
内部に通水路を有する通水体と、該通水体を被覆するカバーとを備え、浴室の壁面等の取付部に突設される吐水具であって、
前記カバーを、前記通水体に固設された部材に対して固定し、
前記通水体に固設された部材を、前記通水体に螺着されて通水体とで取付部を挟持することにより通水体を取付部に固定する固定ナットとし、該固定ナットに前記カバーを固定したことを特徴とする吐水具。
【請求項３】
前記取付部に対する前記固定ナットの回動を規制する固定ナット回動規制手段を備えたことを特徴とする請求項２に記載の吐水具。
【発明の詳細な説明】
【０００１】
【発明の属する技術分野】
本各発明は、内部に通水路を有する通水体と、該通水体を被覆するカバーとを備え、浴室の壁面等の取付部に突設される吐水具に関する。
【０００２】
【従来の技術】
従来より、内部に通水路を有する通水体と、該通水体を被覆するカバーとを備え、浴室の壁面、浴室のカウンターの前面やデッキ面、洗面台や流し台のデッキ面等の「取付部」に突設される吐水具としては、例えば、実開平６−８５４６１号公報に記載のものなどが知られている。この従来例を具体的に説明すると、取付部（浴槽カウンター）に埋設された埋め込みボルトに固定金具を固定し、この固定金具に、通水体（水栓）を被覆するカバー（吐水口カバー）を別途のボルトで固定することにより、カバーを取付部に固定するものである。
【０００３】
【発明が解決しようとする課題】
しかしながら、上記した従来の吐水具では、カバーの取り付けのために通水体とは別途に固定金具を取り付けなければならず、取付部において、通水体を堅固に固定するための補強ばかりでなく、固定金具を堅固に固定するための補強が必要であり、しかも、固定金具を含めて通水体を被覆するカバーは、その大型化が余儀なくされていた。また、固定金具を別途必要とすることから、部品点数が多く、しかも、固定金具を取付部に固設する分だけ、取付作業も煩雑であった。
【０００４】
本各発明は上記した従来の吐水具の問題点を解消するものであり、カバーの取り付けに際して通水体とは別途に設けられる固定金具を不要とし、取付部の補強の簡略化やカバーの小型化を図ることを目的とする。また、特に請求項２の発明では、カバーの取り付けのためだけに用いられる部材を不要とし、部品点数の削減や取付作業の簡略化を図ることも目的とする。
【０００５】
【課題を解決するための手段】
以上の課題を解決するために、本各発明の採った手段を各発明ごとに以下に説明すると、まず、請求項１に記載の吐水具は、「内部に通水路を有する通水体と、該通水体を被覆するカバーとを備え、浴室の壁面等の取付部に突設される吐水具であって、前記カバーを、前記通水体自体又は前記通水体に固設された部材に対して固定し、前記通水体自体又は前記通水体に固設された部材に、取付部側に向かって内方に傾斜する傾斜部を設け、前記カバーに、前記傾斜部に当接する止めネジを螺着したことを特徴とする吐水具」である。
【０００６】
ここで「吐水具」とは、例えばそれ自体から湯や水の吐水が行われる吐水口等の部材のほか、回動自在な吐水管やシャワーホース等が接続される部材、即ち、吐水を行う吐水口までの間に介在される接続部材等の部材を含む。また、このような、弁装置を内蔵しない単なる部材に限らず、吐水方向をシャワー・カランに切り換える切換弁や、湯水の混合度合いを調節する混合弁等の弁装置を内蔵するものであってもよく、給水栓本体そのものであってもよい。また、カバーを固定するための手段としては、カバー自体にネジ部を設けた螺着、止めネジによる固定、別部材のクリップを用いた狭着、係合部材を用いた係合等の公知の種々の手段を用いることができる。さらに、カバーを通水体に固設された部材に固定する場合には、上記部材として、カバーの固定だけのために用いられる部材に限らず、通水体を取付部に固定するために用いられる部材等、他の機能を兼ね備えた部材を適用すると、部材を有効に活用することができ、好適である。
【０００７】
本発明では、通水体自体又は通水体に固設された部材に対してカバーが固定されているので、通水体とは別途に設けられる固定金具を不要とすることができる。そして、取付部は通水体を堅固に固定しさえすればよいことから、取付部に通水体のため以外の補強が不要となり、取付部の補強が簡略化できる。また、カバーは通水体やこれに固設された部材を被覆すればよいことから、カバーの小型化を図ることができる。
【０００９】
止めネジを上記したような傾斜部に当接させることとすると、止めネジを螺入していくにつれて止めネジ先端部が傾斜部のより内方側の部位に移動し、これに伴ってカバーが取付部側に移動する。よって、止めネジの螺入により、カバーを取付部に圧着することができ、取付部に対するカバーのガタツキをなくしたり、取付部とカバーとの間に隙間が生じることを防止することができる。
【００１１】
また、通水体自体又は通水体に固設された部材にカバーを固定する場合、止めネジ等の簡略な固定手段によっては、通水体自体又は通水体に固設された部材からのカバーの抜けを防止することはできるものの、カバーの不用意な回転を確実に防止することは困難である。そこで、カバーの固定手段とは別途にカバーの回動を規制する手段、即ちカバー回動規制手段を設ければ、カバーの不用意な回動を確実に防止することができ、カバーの固定に関しては、簡略な固定手段を採用することができる。尚、カバー回動規制手段としては、例えば、通水体自体又は通水体に固設された部材とカバーとをセレーション噛合させたり、通水体自体又は通水体に固設された部材とカバーとをピン固定する等の手段を例示することができる。
【００１２】
請求項２に記載の吐水具は、「内部に通水路を有する通水体と、該通水体を被覆するカバーとを備え、浴室の壁面等の取付部に突設される吐水具であって、前記カバーを、前記通水体に固設された部材に対して固定し、前記通水体に固設された部材を、前記通水体に螺着されて通水体とで取付部を挟持することにより通水体を取付部に固定する固定ナットとし、該固定ナットに前記カバーを固定したことを特徴とする吐水具」である。
【００１３】
通水体を取付部に固定するための固定ナットを兼用してカバーを固定することとすれば、カバーの固定のための部材を別途設ける必要がなく、部品点数を削減することができる。しかも、通水体を取付部に固定するために固定ナットを取り付ければ、カバーを固定するための部材の取り付けも完了するため、全体の取付作業を簡略化することもできる。
【００１４】
請求項３に記載の吐水具は、「前記取付部に対する前記固定ナットの回動を規制する固定ナット回動規制手段を備えたことを特徴とする請求項２に記載の吐水具」である。
【００１５】
カバーを固定ナットに固定することとすると、カバーに回動力が加わった場合に固定ナットが不用意に緩んでしまう虞がある。そこで、固定ナットの通水体に対する螺着とは別途に、取付部に対して固定ナットの回動を規制する手段、即ち固定ナット回動規制手段を設ければ、固定ナットの不用意な回動を確実に防止でき、カバーに回動力が加わっても、固定ナットが緩むことはない。尚、固定ナット回動規制手段としては、例えば、固定ナットを取付部に止めネジで固定したり、固定ナットに係合突起や係合爪を設けてこれらの係合突起や係合爪を取付部の係合孔や係合部に係合させる等の手段を例示できる。
【００１７】
【発明の実施の形態】
次に、本各発明に係る吐水具の実施の形態を図面を参考にして詳細に説明する。図１に、請求項１から請求項３までの各発明を適用した吐水具６０の一例を示す。
【００１８】
この吐水具６０は、湯水混合水栓（図示省略）に接続されて湯や水を吐出する吐水口を構成するものであり、浴室のカウンターの前面壁等の取付部１に突設されている。また、この吐水具６０は、内部に通水路を有する通水体１０と、この通水体１０を被覆するカバー４０とを備えている。ここで、通水体１０は、湯水混合水栓に配管３を介して接続されると共に取付部１に固定された接続具１１と、この接続具１１に接続されて先端下面から湯や水の吐水を行う吐水パイプ５０とを備えてなる。
【００１９】
接続具１１は、有底の略円筒形状に形成されており、その長手方向ほぼ中央の外周面には、鍔部１４が周設されている。また、鍔部１４よりも先端寄りには、雄ネジが刻設されたネジ部１６が設けられており、その先端には、開口部１８が設けられ、さらに、この開口部１８の内周面には、段部１３が周設されている。そして、この接続具１１は、取付部１に穿設された取付孔２に取付部１の裏面よりネジ部１６が挿入され、取付部１の表側からネジ部１６に固定ナット２０が螺着されて、この固定ナット２０と鍔部１４とで取付部１を挟持することにより取付部１に固定されている。また、取付部１と鍔部１４との間、及び、取付部１と固定ナット２０との間には、各々パッキン４が介在されており、取付孔２を通じた取付部１裏面側への水の侵入が防止されている。
【００２０】
接続具１１の開口部１８には吐水パイプ５０が挿入されている。吐水パイプ５０の外周面には、割りリング５４の突起が係合する凹部５２が周設されており、この凹部５２に係合される割りリング５４を吐水パイプ５０外周面に嵌装させた上で、袋ナット５６を接続具１１に螺着し、これにより接続具１１からの吐水パイプ５０の抜けが防止されている。尚、接続具１１の段部１３に収容されたＸパッキン等のシール部材９により、吐水パイプ５０外周面と接続具１１内周面との水密が図られている。
【００２１】
固定ナット２０は、底部２４を有する全高の低い略円筒形状に形成されており、底部２４には、ネジ孔２８が設けられている。そして、タッピンネジ６を固定ナット２０のネジ孔２８に挿通して取付部１に螺着することにより、取付部１に対する固定ナット２０の回動が防止されている。このタッピンネジ６は、請求項３の発明でいう「固定ナット回動規制手段」の一例を示すものである。
【００２２】
また、固定ナット２０の基端側外周面には、セレーション２６が設けられており、先端側外周面には、取付部１側に向かって内方に傾斜する傾斜部３２を備えた周溝３０が形成されている。
【００２３】
次いで、カバー４０について説明する。カバー４０は、黄銅等の金属製であり、後方側が開放された略筒状に形成されて、取付部１から突出する通水体１０を被覆するものである。このカバー４０の開口内周面には、上述した固定ナット２０のセレーション２６と噛合するセレーション４２が形成されており、両セレーション２６，４２により適当な位置決めがなされ双方が噛合されることにより、カバー４０が固定ナット２０に取り付けられた際には、カバー４０が固定ナット２０周りに無用に回動しないように構成されている。このように、多数の溝を有するセレーション２６，４２を用いることにより、固定ナット２０に対するカバー４０の位置合わせを細かく調節できる。このセレーション２６，４２による噛合は、「カバー回動規制手段」の一例を示すものである。尚、本例では、上述の通り、固定ナット２０と取付部１とがタッピンネジ６等の「固定ナット回動規制手段」により回動不能に固定されており、固定ナット２０とカバー４０とがセレーション２６，４２等の「カバー回動規制手段」により回動不能に固定されているため、使用者がカバー４０に触れてカバー４０に回動力が加わったとしても、カバー４０が不用意に回動したり、固定ナット２０が緩んだりすることはない。
【００２４】
カバー４０の側面における固定ナット２０の傾斜部３２に対応する位置には、雌ネジが刻設されたネジ孔４４が設けられており、このネジ孔４４には止めネジ７が螺着されている。そして、止めネジ７の先端は、固定ナット２０の周溝３０の傾斜部３２に当接されている。ここで、傾斜部３２は周溝３０と共に固定ナット２０の全周に渡って形成されているので、接続具１１に対する固定ナット２の螺着度合いに拘わらず、常に止めネジ７の先端部が傾斜部３２に対して適切に当接する。この止めネジ７のねじ込みに伴って、カバー４０は、取付部１側に引っ張られて取付部１の前面に隙間無く圧着される。尚、カバー４０と取付部１との間にゴムパッキンや樹脂パッキン等の柔軟部材を介在させてもよい。
【００２５】
カバー４０のネジ孔４４は、カバー４０の外側面に設けられた凹部４６の底部に設けられている。この凹部４６は止めネジ７の頭８よりも大径に設けられており、止めネジ７の頭８が凹部４６内に収容可能とされることにより、カバー４０から止めネジ７が突出した外観とならず、吐水具１０の美観が向上されている。さらに、止めネジ７の頭８にはエラストマー製の化粧キャップ１５が貼着されており、これによってカバー４０表面と止めネジ７の一体感がもたらされ、カバー４０の美観が向上されている。また、カバー４０の先端寄り下部には、吐水パイプ５０の先端下面部分が露呈される長孔４８が穿設されている。
【００２６】
以上、本例では、固定ナット２０にカバー４０を固定した例を示したが、通水体１０自体にカバー４０を固定したり、固定ナット２０以外の部材を通水体１０に固設して、この部材にカバー４０を固定してもよい。
【００２７】
【発明の効果】
本各発明は上記のように構成されているので、カバーの取り付けに際して通水体とは別途に設けられる固定金具を不要とし、取付部の補強の簡略化やカバーの小型化を図ることができる。また、特に請求項２の発明では、加えて、カバーの取り付けのためだけに用いられる部材を不要とし、部品点数の削減や取付作業の簡略化を図ることもできる。
【図面の簡単な説明】
【図１】吐水具の一例を示す横断面図である。
【符号の説明】
１；取付部、２；取付孔、３；配管、４；パッキン、６；タッピンネジ、７；止めネジ、８；頭、９；シール部材、１０；通水体、１１；接続具、１３；段部、１４；鍔部、１５；化粧キャップ、１６；ネジ部、１８；開口部、２０；固定ナット、２４；底部、２６；セレーション、２８；ネジ孔、３０；周溝、３２；傾斜部、４０；カバー、４２；セレーション、４４；ネジ孔、４６；凹部、４８；長孔、５０；吐水パイプ、５２；凹部、５４；割りリング、５６；袋ナット、６０；吐水具。
【図１】
0004713724.tif 000002